(57)【特許請求の範囲】
【請求項１】
磁気回路とボイスコイルとを含む駆動部とこの駆動部のボイスコイル側に中央部分が固定された平板状の振動板とを備えるパネル型スピーカの取付け構造であって、
このパネル型スピーカの前記振動板は、均一な厚みを有し、その周縁部がほぼ自由端の状態を保ちながら電子装置の筐体又は施設の壁面に形成された開口の内周部との間に狭い空隙を形成することにより前記開口をほぼ塞ぐ状態に保持されること、
前記駆動部の磁気回路側は、前記開口の背後の前記電子装置の筐体又は施設の内部に形成された保持手段に取付けられたこと
とを特徴とするパネル型スピーカの取付け構造。
【請求項２】
請求項１において、
前記保持手段は、前記開口内に渡された板状又は棒状体であり、この棒状体の中央部分に前記駆動部がかしめによって固定されたことを特徴とするパネル型スピーカの取付け構造。
【請求項３】
請求項１において、
前記保持手段と前記振動板との間に低速かつ大振幅の変位を制限する弾性体が介在せしめられたことを特徴とするパネル型スピーカの取付け構造。
【発明の詳細な説明】
【０００１】
【発明の属する技術分野】
本発明は、パーソナルコンピュータなどの各種の電子装置を対象とした薄型のパネル型スピーカの取付け構造に関するものである。
【０００２】
【従来の技術】
従来、パーソナルコンピュータやテレビジョン受像機などの各種の電子装置に取付けられるスピーカは、この電子装置を収容するための筐体に形成された開口内に取付けられる。
【０００３】
すなわち、図４に例示するように、永久磁石Ｍ、ヨークＹ、ボイスコイルＶＣ、振動板ＶをフレームＦに取付けることにより構成されるスピーカを電子装置の筐体の壁面に形成した開口内に固定するために、フレームＦの前端面の周辺部分を筐体Ｂの開口の周縁部の表側にネジ止めしている。あるいは、図５に示すように、フレームＦの前端面の周辺部分を筐体Ｂの開口の周縁部の裏側にネジ止めすることによってスピーカが筐体の開口内に固定される。
【０００４】
図４と図５に示したいずれの例でも、薄手の紙やプラスチックや金属の薄板で構成される脆弱な振動板Ｖがユーザーの手の接触などによって破れたり、潰れたり、陥没したりするなどのおそれがある。振動板Ｖをこのような破壊から保護するために、バンチングネット、ジャージクロス、金網、あるいはこれらの複合体などから構成される保護ネットＮで筐体Ｂの開口が覆われる。
【０００５】
【発明が解決しようとする課題】
最近、パネル型スピーカと称される薄型のスピーカが開発されている。このパネル型スピーカは、カーボンクロスなどを素材とする堅牢な平板状の振動板の背面に磁気回路とボイスコイルとから成るイクサイター（Excitor)と称される駆動部が取り付けられた構造となっている。このようなパネル型スピーカをパーソナルコンピュータなどの電子装置の筐体に取付けるには、従来と同様に、これを一旦フレーム内に組立てたのち、このフレームの前端面の周辺部分を開口の周縁部分に螺子止めすることが考えられる。
【０００６】
しかしながら、このようにフレームを使用するとスピーカ全体としての厚みや重量が増加し、薄型で軽量というパネル型スピーカの利点が損なわれてしまうという問題がある。従って、本発明の一つの目的は、薄型で軽量というパネル型スピーカの特徴を活かした新規な筐体への取付け構造を提供することにある。
【０００７】
【課題を解決するための手段】
上記従来技術の課題を解決するための本発明に係わるパネル型スピーカの取付け構造は、磁気回路とボイスコイルとを含む駆動部とこの駆動部のボイスコイル側に中央部分が固定された平板状の振動板とを備えるパネル型スピーカの取付け構造であって、このパネル型スピーカの前記振動板は、均一な厚みを有し、その周縁部がほぼ自由端の状態を保ちながら電子装置の筐体又は施設の壁面に形成された開口の内周部との間に狭い空隙を形成することにより前記開口をほぼ塞ぐ状態に保持されることと、前記駆動部の磁気回路側は、前記開口の背後の前記電子装置の筐体又は施設の内部に形成された保持手段に取付けられたこととを特徴としている。
【０００８】
【発明の実施の形態】
本発明の好適な実施の形態によれば、上記保持手段は、上記開口内に渡された板状又は棒状体であり、この棒状体の中央部分に前記駆動部がかしめによって固定されている。本発明のさらに好適な実施の形態によれば、前記保持手段と前記振動板との間に低速かつ大振幅の変位を制限する弾性体が介在せしめられている。
型スピーカ。
【０００９】
【実施例】
図１は、本発明の一実施例に係わるパネル型スピーカの取付け構造を示す部分断面図である。取付け対象の薄型のパネル型スピーカは、磁気回路とボイスコイルとから形成されるイクサイター（駆動部）１１と、このイクサイター１１に中央部分が固定された円板形状の振動板１２とを備えている。このパネル型スピーカ１０が取付けられる電子装置は、パーソナルコンピュータ、音響機器、映像機器などの適宜なものであり、これらは筐体１内に収容されている。
【００１０】
上記薄型のパネル型スピーカ１０は、その円板形状の振動板１２が電子装置の筐体１の壁面に形成された円形の開口２を塞ぐように、その円柱形状のイクサイター１１の後端部分が開口２の中央部分に張り渡された一つの保持板３の円筒体３ａ内に取付けられている。
【００１１】
すなわち、保持板３は、アルミニウム合金などの金属やプラスチックなどから成り、その両端部が筐体１の壁面に形成された開口２の周縁部にスポット溶接やネジ止めなどによって取付けられている。この保持板３の中央部分に形成されている円筒体３ａ内にイクサイター１１の後端部分が挿入されたのち、この円筒体３ａがかしめられることにより、パネル型スピーカ１０が固定される。
【００１２】
図２は、図１に示したパネル型スピーカ１０の構成の一例を示す部分断面図である。イクサイター１１は、マグネット１１ａ，インナーヨーク１１ｂ、アウターヨーク１１ｃから成る磁気回路と、ボイスコイル１１ｄと、このイクサイター１１に振動板１２を貼着するクッション１１ｅとから構成されている。振動板１２は、炭素繊維が布状に配列されたカーボンクロスや、このカーボンクロスとウレタンやスポンジなどの素材の薄い板状体を組合せた構成となっている。この振動板１２は、発泡ウレタンなどの適宜な弾性を有するクッションによってアウタヨーク１１ｃの端面に結合されている。
【００１３】
図３は、図１に示したパネル型スピーカ１０の構成の他の一例を示す部分断面図である。イクサイター１１は、マグネット１１ａ，インナーヨーク１１ｂ、アウターヨーク１１ｃから成る磁気回路と、ボイスコイル１１ｄと、このイクサイター１１に振動板１２を貼着するクッション１１ｅとから構成されている。振動板１２は図２の場合と同様に、炭素繊維が布状に配列されたカーボンクロスや、このカーボンクロスとウレタンやスポンジなどの素材の薄い板状体の組合せから構成されている。
【００１４】
カーボンクロスを主体とする振動板１１は、従来の紙などを素材とする振動板とは異なり大きな強度を有するため、ユーザーの手の接触などによる破損のおそれが少ない。このため、図１に示すように、振動板１２の前方の開口に対する金網などの保護ネットによる被覆を省略することができる。ただし、ユーザーの手の接触などによって発生する低速かつ大振幅の変位に抵抗できるように、振動板１２の周辺部分と保持板３との間に発泡ウレタンやスポンジなどの適宜な弾性を有する素材によるクッション３ｂが介在せしめられる。
【００１５】
以上、振動板を保護するための防護ネットを省略する構成を例示したが、必要に応じてこれを設置する構成とすることもできる。
【００１６】
また、パネル型スピーカを開口内に保持するための保持手段を、開口に張り渡した単一の板状体又は棒状体で構成する場合を例示した。しかしながら、このような保持手段を開口内に放射状に張り渡した複数個の板状体や棒状体で構成したり、あるいは開口とほぼ同一寸法の円板によって構成することもできる。
【００１７】
さらに、パネル型スピーカを電子装置の筐体の壁面に形成された開口内に設置する構成を例示した。しかしながら、このパネル型スピーカを、建物や室内の壁面、あるいは、室内の天井板など適宜な施設の壁面に形成された開口内に設置する構成とすることもできる。
【００１８】
【発明の効果】
以上詳細に説明したように、本発明のパネル型スピーカの取付け構造によれば、振動板が均一な厚みを有し、その周縁部がほぼ自由端の状態を保ちながら電子装置の筐体又は施設の壁面に形成された開口の内周部との間に狭い空隙を形成することにより開口をほぼ塞ぐ状態に保持されており、駆動部の磁気回路側が開口の背後の電子装置の筐体又は施設の内部に形成された保持手段に取付けられているので、音質が良好で塵埃などの侵入を最小限にできるという効果が奏される。また、フレームを使用することなく、開口背後の電子装置の筐体や施設の内部に形成した保持機構にイクサイターを直接取付ける構造であるから、薄型で軽量というパネル型スピーカの利点を保つことができるという利点もある。
【図面の簡単な説明】
【図１】本発明の一実施例に係わるパネル型スピーカの取付け構造を示す部分断面図である。
【図２】図１に示したパネル型スピーカ１０の構成の一例を示す部分断面図である。
【図３】図１に示したパネル型スピーカ１０の構成の他の一例を示す部分断面図である。
【図４】従来のスピーカの取付け構造の一例を示す部分断面図である。
【図５】従来のスピーカの取付け構造の他の一例を示す部分断面図である。
【符号の説明】
１    電子装置の筐体
２    筐体１に形成された開口
３    保持板
３ａ  円筒体
３ｂ  クッション
１０  パネル型スピーカ
１１  イクサイター
１２  振動板
【図１】
0003929541.tif 000002
【図２】
0003929541.tif 000003
【図３】
0003929541.tif 000004
【図４】
0003929541.tif 000005
【図５】
0003929541.tif 000006